(57)【要約】【課題】所望の場所をユーザに紹介する情報源となった番組のスポンサをユーザに認識させることができる、ナビゲーション装置、ナビゲーション方法、及びナビゲーションプログラムを提供すること。【解決手段】ナビゲーション装置１は、所定の目的地までの走行経路を案内するナビゲーション装置１であって、番組情報を取得する番組情報取得部７２と、番組情報取得部７２によって取得された番組情報に基づいて、番組で放送された場所と当該番組のスポンサとを特定する番組内容特定部７３と、番組内容特定部７３によって特定された場所が目的地として設定されている場合において、当該番組内容特定部７３によって特定されたスポンサを認識可能となるように当該ナビゲーション装置１における所定の機能の制御を行う機能制御部７１とを備える。【選択図】図１
2011059038.tif 000002
【特許請求の範囲】
【請求項１】
所定の目的地までの走行経路を案内するナビゲーション装置であって、
番組情報を取得する番組情報取得手段と、
前記番組情報取得手段によって取得された番組情報に基づいて、番組で放送された場所と当該番組のスポンサとを特定する番組内容特定手段と、
前記番組内容特定手段によって特定された場所が前記目的地として設定されている場合において、当該番組内容特定手段によって特定されたスポンサを認識可能となるように当該ナビゲーション装置における所定の機能の制御を行う制御手段と、
を備えるナビゲーション装置。
【請求項２】
前記番組内容特定手段は、
前記番組情報取得手段によって取得された番組情報に基づいて、番組のスポンサの優先度を特定し、
前記制御手段は、
前記番組内容特定手段によって特定されたスポンサの優先度に応じて、当該スポンサを認識可能となるように前記制御を行う、
請求項１に記載のナビゲーション装置。
【請求項３】
前記制御手段は、
前記番組内容特定手段によって特定されたスポンサに関する施設を当該スポンサに関する施設以外の施設とは異なる態様で表示するための制御を行う、
請求項１又は２に記載のナビゲーション装置。
【請求項４】
前記制御手段は、
前記番組内容特定手段によって特定されたスポンサに関する施設を地図上で独占的に表示するための制御を行う、
請求項３に記載のナビゲーション装置。
【請求項５】
前記制御手段は、
前記前記番組内容特定手段によって特定されたスポンサに関する施設を地図上で他の施設から差別化した態様で表示するための制御を行う、
請求項３に記載のナビゲーション装置。
【請求項６】
複数の施設を検索する検索手段を備え、
前記制御手段は、
前記検索手段により検索された複数の施設をリスト表示する場合において、前記番組内容特定手段によって特定されたスポンサに関する施設を独占的に前記リストに表示するための制御を行う、
請求項３から５のいずれか一項に記載のナビゲーション装置。
【請求項７】
複数の施設を検索する検索手段を備え、
前記制御手段は、
前記検索手段により検索された複数の施設をリスト表示する場合において、前記番組内容特定手段によって特定されたスポンサに関する施設を他の施設から差別化した態様で前記リストに表示するための制御を行う、
請求項３から５のいずれか一項に記載のナビゲーション装置。
【請求項８】
前記制御手段は、
前記番組内容特定手段によって特定されたスポンサに関する情報を宣伝表示するための制御を行う、
請求項１から７のいずれか一項に記載のナビゲーション装置。
【請求項９】
前記番組内容特定手段は、
前記番組情報取得手段によって取得された番組情報に基づいて、番組のスポンサの優先度を特定し、
前記制御手段は、
前記番組内容特定手段によって特定されたスポンサの優先度に応じた１又は２以上のタイミングで当該スポンサに関する情報を宣伝表示するための制御を行う、
請求項８に記載のナビゲーション装置。
【請求項１０】
前記タイミングは、
前記目的地までの走行経路の探索中、当該走行経路の案内中、又は前記目的地への到着後の少なくとも１つに含まれる、
請求項９に記載のナビゲーション装置。
【請求項１１】
所定の目的地までの走行経路を案内するナビゲーション方法であって、
番組情報を取得する番組情報取得ステップと、
前記番組情報取得ステップで取得された番組情報に基づいて、番組で放送された場所と当該番組のスポンサとを特定する番組内容特定ステップと、
前記番組内容特定ステップで特定された場所が前記目的地として設定されている場合において、当該番組内容特定ステップで特定されたスポンサを認識可能となるように、当該ナビゲーション方法を実行する装置における所定の機能の制御を行う制御ステップと、
を含むナビゲーション方法。
【請求項１２】
請求項１１に記載の方法をコンピュータに実行させるナビゲーションプログラム。
【発明の詳細な説明】
【技術分野】
【０００１】
本発明は、ナビゲーション装置、ナビゲーション方法、及びナビゲーションプログラムに関する。
【背景技術】
【０００２】
従来、所定の目的地までの走行経路を案内するナビゲーション装置が用いられている。さらに近年では、デジタル放送に含まれている旅行先情報等のナビゲーション用情報を取得し、当該取得したナビゲーション情報に基づくナビゲーション表示を行うシステムが提案されている。このシステムにおいては、放送事業者が放送した旅行番組と旅行先情報に関連するデータをテレビ端末が受信して表示部に表示する。そして、当該表示された旅行先情報を利用者がメモリカードにダウンロードし、当該旅行先情報をメモリカードから車載情報端末へ設定することにより、当該旅行先情報に基づく目的地設定や旅行先の情報の表示等が行われる。
【先行技術文献】
【特許文献】
【０００３】
【特許文献１】特開２００４−００７６５１号公報
【発明の概要】
【発明が解決しようとする課題】
【０００４】
しかし上記従来のシステムでは、放送から取得した旅行先情報に基づいて、車載情報端末における目的地設定や旅行先のリアルタイム情報の表示は行われるものの、当該放送された番組のスポンサに関する情報や宣伝等は車載情報端末においては一切行われていなかった。従って、放送された番組を介して旅行先情報を取得したにも関わらず、当該番組に出資したスポンサの存在を、車載情報端末から出力される情報によってユーザに認識させるには至っていなかった。
【０００５】
本発明は、上記に鑑みてなされたものであって、所望の場所をユーザに紹介する情報源となった番組のスポンサをユーザに認識させることができる、ナビゲーション装置、ナビゲーション方法、及びナビゲーションプログラムを提供することを目的とする。
【課題を解決するための手段】
【０００６】
上述した課題を解決し、目的を達成するために、請求項１に記載のナビゲーション装置は、所定の目的地までの走行経路を案内するナビゲーション装置であって、番組情報を取得する番組情報取得手段と、前記番組情報取得手段によって取得された番組情報に基づいて、番組で放送された場所と当該番組のスポンサとを特定する番組内容特定手段と、前記番組内容特定手段によって特定された場所が前記目的地として設定されている場合において、当該番組内容特定手段によって特定されたスポンサを認識可能となるように当該ナビゲーション装置における所定の機能の制御を行う制御手段と、を備える。
【０００７】
また、請求項２に記載のナビゲーション装置は、請求項１に記載のナビゲーション装置において、前記番組内容特定手段は、前記番組情報取得手段によって取得された番組情報に基づいて、番組のスポンサの優先度を特定し、前記制御手段は、前記番組内容特定手段によって特定されたスポンサの優先度に応じて、当該スポンサを認識可能となるように前記制御を行う。
【０００８】
また、請求項３に記載のナビゲーション装置は、請求項1又は２に記載のナビゲーション装置において、前記制御手段は、前記番組内容特定手段によって特定されたスポンサに関する施設を当該スポンサに関する施設以外の施設とは異なる態様で表示するための制御を行う。
【０００９】
また、請求項４に記載のナビゲーション装置は、請求項３に記載のナビゲーション装置において、前記制御手段は、前記番組内容特定手段によって特定されたスポンサに関する施設を地図上で独占的に表示するための制御を行う。
【００１０】
また、請求項５に記載のナビゲーション装置は、請求項３に記載のナビゲーション装置において、前記制御手段は、前記前記番組内容特定手段によって特定されたスポンサに関する施設を地図上で他の施設から差別化した態様で表示するための制御を行う。
【００１１】
また、請求項６に記載のナビゲーション装置は、請求項３から５のいずれか一項に記載のナビゲーション装置において、複数の施設を検索する検索手段を備え、前記制御手段は、前記検索手段により検索された複数の施設をリスト表示する場合において、前記番組内容特定手段によって特定されたスポンサに関する施設を独占的に前記リストに表示するための制御を行う。
【００１２】
また、請求項７に記載のナビゲーション装置は、請求項３から５のいずれか一項に記載のナビゲーション装置において、複数の施設を検索する検索手段を備え、前記制御手段は、前記検索手段により検索された複数の施設をリスト表示する場合において、前記番組内容特定手段によって特定されたスポンサに関する施設を他の施設から差別化した態様で前記リストに表示するための制御を行う。
【００１３】
また、請求項８に記載のナビゲーション装置は、請求項１から７のいずれか一項に記載のナビゲーション装置において、前記制御手段は、前記番組内容特定手段によって特定されたスポンサに関する情報を宣伝表示するための制御を行う。
【００１４】
また、請求項９に記載のナビゲーション装置は、請求項８に記載のナビゲーション装置において、前記番組内容特定手段は、前記番組情報取得手段によって取得された番組情報に基づいて、番組のスポンサの優先度を特定し、前記制御手段は、前記番組内容特定手段によって特定されたスポンサの優先度に応じた１又は２以上のタイミングで当該スポンサに関する情報を宣伝表示するための制御を行う。
【００１５】
また、請求項１０に記載のナビゲーション装置は、請求項９に記載のナビゲーション装置において、前記タイミングは、前記目的地までの走行経路の探索中、当該走行経路の案内中、又は前記目的地への到着後の少なくとも１つに含まれる。
【００１６】
また、請求項１１に記載のナビゲーション方法は、所定の目的地までの走行経路を案内するナビゲーション方法であって、番組情報を取得する番組情報取得ステップと、前記番組情報取得ステップで取得された番組情報に基づいて、番組で放送された場所と当該番組のスポンサとを特定する番組内容特定ステップと、前記番組内容特定ステップで特定された場所が前記目的地として設定されている場合において、当該番組内容特定ステップで特定されたスポンサを認識可能となるように、当該ナビゲーション方法を実行する装置における所定の機能の制御を行う制御ステップと、を含む。
【００１７】
また、請求項１２に記載のナビゲーションプログラムは、請求項１１に記載の方法をコンピュータに実行させる。
【発明の効果】
【００１８】
請求項１に記載のナビゲーション装置、請求項１１に記載のナビゲーション方法、及び請求項１２に記載のナビゲーションプログラムによれば、番組内容特定手段によって特定された場所が目的地として設定されている場合において、当該番組内容特定手段によって特定されたスポンサを認識可能となるようにナビゲーション装置における所定の機能の制御を行うので、目的地として設定されるに至った場所をユーザに紹介する情報源となった番組のスポンサをユーザに認識させることができる。その結果、スポンサは番組への出資により知名度の向上やそれに伴う収益の向上を期待することができると共に、放送局はより多くのスポンサの獲得を期待することができ、スポンサと放送局との双方にとって魅力的なビジネスモデルを提供することができる。
【００１９】
請求項２に記載のナビゲーション装置によれば、番組内容特定手段によって特定されたスポンサの優先度に応じて、当該スポンサを認識可能となるように制御を行うので、番組に対するスポンサの出資額等に基づいて設定された優先度に応じた制御を行うことができ、優先度が高く設定されたスポンサにとって一層有利な制御を行うことができ、確実にスポンサを認識可能とすることができる。
【００２０】
請求項３に記載のナビゲーション装置によれば、スポンサに関する施設を当該スポンサに関する施設以外の施設とは異なる態様で表示するための制御を行うので、スポンサが経営する販売店、飲食店、レジャー施設等の施設がある場合に、当該施設をユーザにアピールすることができ、当該スポンサにとって有利な制御を行うことができ、確実にスポンサを認識可能とすることができる。
【００２１】
請求項４に記載のナビゲーション装置によれば、スポンサに関する施設を地図上で独占的に表示するための制御を行うので、スポンサに関する施設を地図上で特に優遇して表示することができ、一層確実にスポンサを認識可能とすることができる。
【００２２】
請求項５に記載のナビゲーション装置によれば、スポンサに関する施設を地図上で他の施設から差別化した態様で表示するための制御を行うので、スポンサに関する施設を地図上で優遇して表示することができ、確実にスポンサを認識可能とすることができる。
【００２３】
請求項６に記載のナビゲーション装置によれば、検索手段により検索された複数の施設をリスト表示する場合において、スポンサに関する施設を独占的にリストに表示するための制御を行うので、スポンサに関する施設をリスト上で特に優遇して表示することができ、一層確実にスポンサを認識可能とすることができる。
【００２４】
請求項７に記載のナビゲーション装置によれば、検索手段により検索された複数の施設をリスト表示する場合において、スポンサに関する施設を他の施設から差別化した態様でリストに表示するための制御を行うので、スポンサに関する施設をリスト上で優遇して表示することができ、確実にスポンサを認識可能とすることができる。
【００２５】
請求項８に記載のナビゲーション装置によれば、スポンサに関する情報を宣伝表示するための制御を行うので、当該宣伝表示により確実にスポンサを認識可能とすることができる。
【００２６】
請求項９に記載のナビゲーション装置によれば、番組内容特定手段によって特定されたスポンサの優先度に応じた１又は２以上のタイミングで当該スポンサに関する情報を宣伝表示するための制御を行うので、スポンサの出資額等に基づいて設定された優先度に応じた宣伝表示を行うための制御を行うことができ、優先度が高く設定されたスポンサにとって一層有利なタイミングで宣伝表示を行い、一層確実にスポンサを認識可能とすることができる。
【００２７】
請求項１０に記載のナビゲーション装置によれば、宣伝表示を行うタイミングは、目的地までの走行経路の探索中、当該走行経路の案内中、又は目的地への到着後の少なくとも１つに含まれるので、ユーザにスポンサを認識可能とするために適したタイミングで宣伝表示を行うことができる。例えば、経路探索中のタイミングでスポンサに関する情報を宣伝表示することにより、経路探索の待ち時間を有効に活用してスポンサをアピールすることが可能となる。また、スポンサの優先度に応じた回数の宣伝表示を案内中に行うことにより、例えばスポンサの出資額が多いほど当該スポンサの宣伝表示回数を増加させることができ、当該スポンサを強くアピールすることが可能となる。また、目的地への到着後のタイミングでスポンサに関する情報を宣伝表示することにより、実際にユーザが訪問するに至ったＰＯＩの情報源となった番組のスポンサをアピールすることができ、情報源としての価値の高い番組に貢献したスポンサを一層強くアピールすることが可能となる。
【図面の簡単な説明】
【００２８】
【図１】実施の形態１に係るナビゲーション装置を例示するブロック図である。
【図２】ＰＯＩＤＢに格納されている情報を例示した表である。
【図３】制御テーブルに格納されている情報を例示した表である。
【図４】ＰＯＩ情報処理のフローチャートである。
【図５】機能制御処理のフローチャートである。
【図６】図５に続く機能制御処理のフローチャートである。
【図７】スポンサに関する情報の宣伝表示を例示した図であり、図７（ａ）は経路探索中の宣伝表示を例示した図、図７（ｂ）は案内中の宣伝表示を例示した図である。
【図８】スポンサに関するＰＯＩの地図上での表示を例示した図である。
【図９】スポンサに関するＰＯＩのリスト上での表示を例示した図であり、図９（ａ）はスポンサに関するＰＯＩを他のＰＯＩよりも上位となるように検索結果のリストに表示した図、図９（ｂ）はスポンサに関するＰＯＩのみを検索結果のリストに表示した図である。
【図１０】ＰＯＩＤＢに格納されている情報を例示した表である。
【図１１】制御テーブルに格納されている情報を例示した表である。
【図１２】ＰＯＩ情報処理のフローチャートである。
【発明を実施するための形態】
【００２９】
以下、本発明に係るナビゲーション装置、ナビゲーション方法、及びナビゲーションプログラムの各実施の形態について図面を参照しつつ詳細に説明する。ただし、これら各実施の形態によって本発明が限定されるものではない。
【００３０】
〔実施の形態１〕
最初に、実施の形態１について説明する。この実施の形態１は、番組のスポンサ毎に設定された制御内容で、スポンサに関する情報を他の情報とは異なる態様で表示するための制御を行う形態である。なお、以下の説明ではナビゲーション装置が車両に搭載されている場合を例として説明する。
【００３１】
（構成）
まず、実施の形態１に係るナビゲーション装置の構成を説明する。図１は、実施の形態１に係るナビゲーション装置を例示するブロック図である。このナビゲーション装置１は、操作部１０、現在位置検出処理部２０、番組受信部３０、通信部４０、スピーカ５０、ディスプレイ６０、制御部７０、及びデータ記録部８０を備えている。
【００３２】
（構成−操作部）
操作部１０は、ユーザによる操作入力を受け付ける操作手段である。この操作部１０の具体的な構成は任意であり、例えば、ディスプレイ６０の前面に設けたタッチパネル、押しボタン、リモートコントローラの如き遠隔操作手段、あるいは、音声入力を受け付けるマイクの如き音声認識手段を用いて操作部１０を構成することができる。
【００３３】
（構成−現在位置検出処理部）
現在位置検出処理部２０は、ナビゲーション装置１が取り付けられた車両の現在位置を検出する現在位置検出手段である。具体的には、現在位置検出処理部２０は、ＧＰＳ、地磁気センサ、距離センサ、又はジャイロセンサ（いずれも図示省略）の少なくとも一つを有し、現在の車両の位置（座標）及び方位等を公知の方法にて検出する。
【００３４】
（構成−番組受信部）
番組受信部３０は、番組を受信する番組受信手段である。ここで、「番組」とは、ＴＶ番組やラジオ番組を含むものであるが、これらに限定されず任意の放送形態による番組を含む。また、「番組」は、放送局から放送された番組（以下、「一次番組」）と、一次番組を中継や録画再生する機器から出力された番組（以下、「二次番組」）を含む。本実施の形態１においては、番組受信部３０は、一次番組を取得するためのアンテナ及びチューナーを有する放送受信手段として構成されているが、二次番組を外部機器から受信するための受信用のインターフェースとして構成されてもよい。
【００３５】
この「番組」に関する情報を、ここでは「番組情報」と称する。この番組情報は、「番組本体情報」と「番組付随情報」を含む。「番組本体情報」とは、番組本体を構成する情報であって、例えば、番組がＴＶ番組である場合には、当該ＴＶ番組を構成する音声情報や映像情報が該当し、番組がラジオ番組である場合には、当該ラジオ番組を構成する音声情報が該当する。また、「番組付随情報」とは、番組に付随する情報であって、例えば、番組が地上デジタル放送やＢＳデジタル放送によるデジタルＴＶ番組である場合には、文字データ放送等を行うための文字情報、デジタル信号にパケットとして挿入されるＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）、あるいは、番組放送に伴い付随的に配信される情報（メタ情報）が該当する。ＳＩには、例えば、電子番組表（ＥＰＧ：Ｅｌｅｃｔｒｏｎｉｃ  Ｐｒｏｇｒａｍ  Ｇｕｉｄｅ）を作成する元データとなり得るＥＩＴ（Ｅｖｅｎｔ  Ｉｎｆｏｒｍａｔｉｏｎ  Ｔａｂｌｅ）が含まれる。ここで、番組付随情報としては、例えば、「番組名称」、「放送局名称（ここでは、番組の放送局を特定するための情報）」、「スポンサ」、及び「ランク（ここでは、スポンサの優先度を特定するための情報）」等が含まれる。なお、「番組付随情報」には、スポンサを認識可能となるようなナビゲーション装置１における所定の機能の制御内容を特定する制御情報も含まれることとするが、この制御情報は番組受信部３０ではなく通信部４０によって別途受信されることとしてもよい。なお、制御情報に含まれる情報の内容については後述するが、例えばスポンサ自身や番組制作者によってその内容が設定され、番組付随情報に含めて送信される。
【００３６】
（構成−通信部）
通信部４０は、外部の通信装置（例えば、既知のコンピュータ、移動体通信端末、あるいは、カーナビゲーションサービスを統括する統括センター）との間で、各種情報を通信するための通信手段であり、公知の無線通信装置を用いることができる。
【００３７】
（構成−スピーカ）
スピーカ５０は、制御部７０の制御に基づいて各種の音声を出力する出力手段である。スピーカ５０より出力される音声の具体的な態様は任意であり、必要に応じて生成された合成音声や、予め録音された音声を出力することができる。
【００３８】
（構成−ディスプレイ）
ディスプレイ６０は、制御部７０の制御に基づいて各種の画像を表示する表示手段である。なお、このディスプレイ６０の具体的な構成は任意であり、公知の液晶ディスプレイや有機ＥＬディスプレイの如きフラットパネルディスプレイを使用することができる。
【００３９】
（構成−制御部）
制御部７０は、ナビゲーション装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態１に係るナビゲーションプログラムは、任意の記録媒体又はネットワーク２を介してナビゲーション装置１にインストールされることで、制御部７０の各部を実質的に構成する。
【００４０】
この制御部７０は、機能概念的に、機能制御部７１、番組情報取得部７２、番組内容特定部７３、及び検索部７４を備えている。機能制御部７１は、ナビゲーション装置１における所定の機能の制御を行う制御手段である。ナビゲーション装置１における「所定の機能」としては、例えば、地図や施設情報等をディスプレイ６０に表示させる表示機能、所望の施設を検索する検索機能、番組のスポンサに関する情報を宣伝表示するための宣伝表示機能、あるいは目的地までの走行経路の探索を行う探索機能等が含まれる。番組情報取得部７２は、番組情報を取得する番組情報取得手段である。番組内容特定部７３は、番組情報取得部７２によって取得された番組情報に基づいて、番組で放送された場所（以下、必要に応じて、場所を「ＰＯＩ」（Ｐｏｉｎｔ  Ｏｆ  Ｉｎｔｅｒｅｓｔ）と称する）と当該番組のスポンサとを特定する番組内容特定手段である。ここで、ＰＯＩとは、各種のお店や施設の位置を示す「地点」のみならず、さらに広い範囲を示す「地域（例えば、市町村レベルの範囲や、行政区画以外の概念で特定されるエリア（例えば、山の手地区や、下町地区等）」を含み得る概念である。検索部７４は、複数の施設を検索する検索手段である。これらの制御部７０の各構成要素によって実行される処理の詳細については後述する。
【００４１】
（構成−データ記録部）
データ記録部８０は、ナビゲーション装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００４２】
このデータ記録部８０は、地図情報データベース（以下、データベースを「ＤＢ」と称する）８１、ＰＯＩＤＢ８２、及び制御テーブル８３を備えている。
【００４３】
地図情報ＤＢ８１は、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、自宅、駐車場、コンビニ、ガソリンスタンド、レストラン、レジャー施設等の施設を案内するための施設データ（各施設の位置、各施設の種別、及び各施設を示すアイコンの描画情報を相互に関連付けた情報を含む）、地形データ、地図をディスプレイ６０に表示するための地図表示データ等を含んで構成されている。
【００４４】
ＰＯＩＤＢ８２は、番組で放送されたＰＯＩに関する情報を格納するＰＯＩ情報格納手段である。図２はＰＯＩＤＢ８２に格納されている情報を例示した表である。図２に示すように、ＰＯＩＤＢ８２には、項目「ＰＯＩ名称」、「位置座標」、「番組名称」、「放送局名称」、「取得日時」、「スポンサ」及び「ランク」に対応する情報が相互に関連付けて格納されている。項目「ＰＯＩ名称」に対応して格納される情報は、ＰＯＩの名称を示す情報（例えば、ＰＯＩが特定の施設である場合には、当該施設の名称）である。項目「位置座標」に対応して格納される情報は、ＰＯＩの位置を特定するための座標情報である。項目「番組名称」に対応して格納される情報は、番組の名称を示す情報である。項目「放送局名称」に対応して格納される情報は、番組の放送局を示す情報である。項目「取得日時」に対応して格納される情報は、各ＰＯＩに関する情報を取得した日時である。項目「スポンサ」に対応して格納される情報は、番組のスポンサを示す情報である。番組に複数のスポンサが存在する場合には、各スポンサを示す情報が格納される。項目「ランク」に対応して格納される情報は、スポンサの優先度を示す情報である。図２の例では、ランク「Ａ」の優先度が最も高く、以下「Ｂ」、「Ｃ」の順に優先度が低いことを示している。
【００４５】
制御テーブル８３は、スポンサを認識可能となるような制御内容を特定する制御情報を格納する制御情報格納手段である。図３は制御テーブル８３に格納されている情報を例示した表である。図３に示すように、制御テーブル８３には、項目「スポンサ」、「番組名称」、「取得日時」、「ランク」、「地図表示」、「リスト表示」、及び「宣伝表示」に対応する情報が相互に関連付けて格納されている。このうち、項目「スポンサ」、「番組名称」、「取得日時」、及び「ランク」に対応する情報についてはＰＯＩＤＢ８２において同じ名称の項目に対応して格納されている情報と同様であるので説明を省略する。項目「地図表示」に対応して格納される情報は、スポンサに関する情報を地図上で表示する際の表示機能の制御内容を特定する情報であり、例えばスポンサに関する情報を独占的に表示するための制御を示す「独占」、スポンサに関する情報を他の情報から差別化した態様で表示するための制御を示す「差別化」、又はスポンサに関する情報を通常の態様で表示するための制御を示す「通常」のいずれかが格納される。項目「リスト表示」に対応して格納される情報は、検索部７４により検索されたスポンサに関する情報をリスト表示する際の検索機能の制御内容を特定する情報であり、項目「地図表示」の場合と同様に、例えば「独占」、「差別化」、又は「通常」のいずれかが格納される。項目「宣伝表示」に対応して格納される情報は、スポンサに関する情報を宣伝表示する際の宣伝表示機能の制御内容を特定する情報である。図３の例では、小項目「経路探索中」、「案内中」、及び「到着時」のそれぞれに対応して、宣伝表示を行うタイミングの有無を特定する「有」又は「無」、あるいは宣伝表示を行うタイミングの上限回数を示す情報（図３では「５回」「３回」「５回」）が格納される。これらの情報を制御テーブル８３に格納するタイミングは任意で、例えば後述するＰＯＩ情報処理において、番組受信部３０又は通信部４０によって受信され、番組情報取得部７２によって取得された番組付随情報から取得され、当該制御テーブル８３に格納される。また、スポンサのランクに応じた具体的な制御内容については、例えば当該スポンサ自身や番組制作者が自由にその内容を設定し、番組付随情報に含めて送信することができる。
【００４６】
（処理）
次に、このように構成されるナビゲーション装置１によって実行される処理について説明する。この処理は、ＰＯＩ情報処理、及び機能制御処理に大別される。なお、特記しない制御に関しては、ナビゲーション装置１の制御部７０が行うこととする。
【００４７】
（処理−ＰＯＩ情報処理）
最初に、ＰＯＩ情報処理について説明する。図４はＰＯＩ情報処理のフローチャートである（以下の各処理の説明ではステップを「Ｓ」と略記する）。このＰＯＩ情報処理は、ＰＯＩＤＢ８２及び制御テーブル８３に格納するための情報を取得し、これらのＰＯＩＤＢ８２及び制御テーブル８３に格納する処理であり、所定周期で繰り返し起動される。
【００４８】
ＰＯＩ情報処理が起動されると、番組情報取得部７２は番組受信部３０によって受信された番組の番組付随情報を取得し、当該番組付随情報にＰＯＩに関する情報及びスポンサに関する情報が含まれているか否かを判定する（ＳＡ１）。その結果、ＰＯＩに関する情報及びスポンサに関する情報が含まれていない場合（ＳＡ１、Ｎｏ）、当該番組は機能制御の対象外であるものとし、ＰＯＩ情報処理を終了する。
【００４９】
一方、番組付随情報にＰＯＩに関する情報及びスポンサに関する情報が含まれている場合（ＳＡ１、Ｙｅｓ）、番組内容特定部７３は番組情報取得部７２によって取得された番組付随情報から、番組で放送されたＰＯＩの名称及び当該ＰＯＩの位置座標を取得する（ＳＡ２）。これらの各情報については、例えば、番組本体情報に含まれる映像情報を対象とする画像解析、番組本体情報に含まれる音声情報を対象とする音声解析、番組付随情報を対象とする文字認識や言語解析等により、番組内容特定部７３が特定を行ってもよい。すなわち、映像情報に特定の施設名が所定回数以上含まれている場合や、番組付随情報に含まれる番組名に特定の施設名が１回でも含まれている場合には、当該施設名を、当該番組に関連するＰＯＩの名称として特定する。また、映像情報に特定の位置（住所）が所定回数以上含まれている場合や、番組付随情報に含まれる「番組名」に特定の位置（住所）が１回でも含まれている場合には、当該位置（住所）を、当該番組に関連するＰＯＩの位置として特定する。あるいは、番組付随情報に、ＰＯＩの座標が含まれている場合には、当該座標をＰＯＩの位置として特定してもよい。ここで、同一のＰＯＩに対して異なる位置が特定される場合には、相互に同一名称であるが異なる位置の複数のＰＯＩが存在するものとし、相互に別々のＰＯＩとして特定してもよい。あるいは、異なるＰＯＩに対して同一の位置が特定される場合には、相互に同一位置にあるＰＯＩが異なる名称で呼ばれているとし、相互に同一のＰＯＩとして特定してもよい。
【００５０】
続いて番組内容特定部７３は、ＳＡ２で特定したＰＯＩの名称毎に、「番組名称」及び「放送局名称」を取得する（ＳＡ３）。これらの各情報は、ＰＯＩの名称が取得された番組の番組付随情報であって、ＳＡ１で番組情報取得部７２によって取得された番組付随情報から取得することができる。これら各情報の取得に際しては、番組本体情報や番組付随情報を対象として、上述した番組内容特定部７３による処理と同様の各種の解析を行うことにより取得してもよい。
【００５１】
続いて番組内容特定部７３は、ＳＡ２で特定したＰＯＩの名称毎に、「スポンサ」及び「ランク」を取得する（ＳＡ４）。これらの各情報についても、ＰＯＩの名称が取得された番組の番組付随情報であって、ＳＡ１で番組情報取得部７２によって取得された番組付随情報から取得することができる。
【００５２】
その後、番組内容特定部７３は、ＳＡ２で特定したＰＯＩの名称をキーとして、ＳＡ２からＳＡ４で取得した各情報及びこれらの情報を取得した日時を関連付けてＰＯＩＤＢ８２に格納する（ＳＡ５）。
【００５３】
次に、番組内容特定部７３は、ＳＡ４で特定したスポンサ毎に、制御情報を取得する（ＳＡ６）。本実施の形態１では、制御情報として、「スポンサ」、「番組名称」、「ランク」、「地図表示」、「リスト表示」、及び「宣伝表示」を含む制御情報を取得するものとする。制御情報は、番組受信部３０又は通信部４０によって受信され、番組情報取得部７２によって取得された番組付随情報から取得することができる。
【００５４】
その後、番組内容特定部７３は、ＳＡ４で特定したスポンサをキーとして、ＳＡ６で取得した制御情報及びこの情報を取得した日時を関連付けて制御テーブル８３に格納し（ＳＡ７）、ＰＯＩ情報処理を終了する。
【００５５】
（処理−機能制御処理）
次に、機能制御処理について説明する。図５及び図６は機能制御処理のフローチャートである。この機能制御処理は、例えばナビゲーション装置１において経路案内の目的地が設定された場合に起動される。
【００５６】
機能制御処理が起動されると、機能制御部７１は設定された目的地に対応するＰＯＩがＰＯＩＤＢ８２に格納されているか否かを判定する（ＳＢ１）。その結果、目的地に対応するＰＯＩがＰＯＩＤＢ８２に格納されていない場合（ＳＢ１、Ｎｏ）、機能制御を行う必要がないものとし、機能制御部７１は機能制御処理を終了する。
【００５７】
一方、目的地に対応するＰＯＩがＰＯＩＤＢ８２に格納されている場合（ＳＢ１、Ｙｅｓ）、すなわち、ＰＯＩ情報処理のＳＡ２で番組内容特定部７３によって特定されたＰＯＩが目的地として設定されている場合、機能制御部７１は目的地のＰＯＩに関連付けられている番組名称、スポンサ、及びランクをＰＯＩＤＢ８２を参照して特定する（ＳＢ２）。例えば、「和食○○」が目的地として設定されている場合、図３のＰＯＩＤＢ８２において当該「和食○○」に関連付けられている番組名称として「ＰＳ」、スポンサとして「サークルＪ」、「ホンデ」、及び「吉田家」を特定する。さらに、スポンサ「サークルＪ」についてはランクとして「Ａ」、スポンサ「ホンデ」についてはランクとして「Ｂ」、スポンサ「吉田家」についてはランクとして「Ｃ」を特定する。
【００５８】
図５に戻り、ＳＢ２で特定した番組名称、スポンサ、及びランクに基づき、ＳＢ２で特定したスポンサを認識可能となるように機能制御を行う際の制御内容として、スポンサに関する情報の表示機能、検索機能、及び宣伝表示機能の制御内容をスポンサ毎に特定する（ＳＢ３）。例えばＳＢ２で、図２のＰＯＩＤＢ８２において目的地の「和食○○」に関連付けられている番組名称「ＰＳ」、スポンサ「サークルＪ」、及びランク「Ａ」を特定した場合、図３の制御テーブル８３によれば、当該特定したスポンサ「サークルＪ」、番組名称「ＰＳ」、及びランク「Ａ」に対応する制御内容は、地図表示が「独占」、リスト表示が「独占」、経路探索中及び到着時の宣伝表示が「有」で、案内中の宣伝表示の上限回数は「５回」であることが特定される。
【００５９】
図５に戻り、機能制御部７１はナビゲーション装置１が目的地までの経路を探索中か否かを判定する（ＳＢ４）。その結果、目的地までの経路を探索中である場合（ＳＢ４、Ｙｅｓ）、機能制御部７１は、ＳＢ２で特定したスポンサ毎にＳＢ３で特定した制御内容において、経路探索中の宣伝表示が「有」か否かを判定する（ＳＢ５）。上述の図２及び図３の例では、ＳＢ２で特定したスポンサ「サークルＪ」についてＳＢ３で特定した制御内容において、経路探索中の宣伝表示が「有」であると判定される。
【００６０】
図５に戻り、ＳＢ５の判定の結果、経路探索中の宣伝表示が「有」の場合、当該スポンサに関する情報を経路探索画面で宣伝表示するための制御を行う（ＳＢ６）。図７はスポンサに関する情報の宣伝表示を例示した図であり、図７（ａ）は経路探索中の宣伝表示を例示した図、図７（ｂ）は案内中の宣伝表示を例示した図である。図７（ａ）に示すように、例えば経路探索画面において、スポンサに関する宣伝情報（例えばキャンペーン情報等）を表示する。このように、経路探索中のタイミングでスポンサに関する情報を宣伝表示することにより、経路探索の待ち時間を有効に活用してスポンサをアピールすることが可能となる。
【００６１】
図５に戻り、ＳＢ４において目的地までの経路を探索中ではない場合（ＳＢ４、Ｎｏ）、ＳＢ５において経路探索中の宣伝表示が「無」の場合（ＳＢ５、Ｎｏ）、又はＳＢ６の処理の後、機能制御部７１はナビゲーション装置１が目的地までの経路を案内中か否かを判定する（ＳＢ７）。その結果、目的地までの経路を案内中である場合（ＳＢ７、Ｙｅｓ）、機能制御部７１は、ＳＢ２で特定したスポンサ毎にＳＢ３で特定した制御内容において、案内中の宣伝表示に上限回数が設定されているか否か（宣伝表示を行うか否か）を判定する（ＳＢ８）。その結果、上述の図２及び図３の例では、ＳＢ２で特定したスポンサ「サークルＪ」についてＳＢ３で特定した制御内容において、案内中の宣伝表示に上限回数「５回」が設定されていると判定される。
【００６２】
図５に戻り、ＳＢ８の判定の結果、案内中の宣伝表示に上限回数が設定されている場合（ＳＢ８、Ｙｅｓ）、機能制御部７１は、案内中の宣伝表示を上限回数行ったことを示す完了フラグがＯＦＦであり、且つ宣伝表示を行うタイミングであるか否かを判定する（ＳＢ９）。ここで、完了フラグは例えばＲＡＭ（図示省略）に記憶されているものとする。また、宣伝表示を行うタイミングか否かの判定基準は任意で、例えば、案内中に前回宣伝表示を行ってから所定時間を経過した場合、あるいは車両が停車している場合に、宣伝表示を行うタイミングであると判定する。特に、車両が停車しているタイミングで宣伝表示を行うことにより、安全な状況でドライバにスポンサをより確実にアピールすることが可能となる。
【００６３】
その結果、完了フラグがＯＦＦであり、且つ宣伝表示を行うタイミングである場合（ＳＢ９、Ｙｅｓ）、機能制御部７１は当該スポンサに関する情報を案内画面で宣伝表示するための制御を行う（ＳＢ１０）。図７（ｂ）に示すように、例えば経路案内の画面において、スポンサに関する宣伝情報（例えばキャンペーン情報等）をテキスト表示したり、飛行船の画像で宣伝情報を表示したりする。その他にも、経路を案内中の画面において、当該画面に表示されている背景画像にマッチする架空の宣伝看板などを適宜表示させ、その宣伝看板中にスポンサに関する宣伝情報を表示するようにしてもよい。このように、スポンサの優先度に応じた回数の宣伝表示を行うことにより、例えばスポンサの出資額が多いほど当該スポンサの宣伝表示回数を増加させることができ、当該スポンサを強くアピールすることが可能となる。
【００６４】
図５のＳＢ１０で宣伝表示を行った後、図６に進み、機能制御部７１は案内中に宣伝表示を行った回数を示すカウンタを１回分加算し（ＳＢ１１）、当該加算後のカウンタの値が案内中の宣伝表示の上限回数に到達したか否かを判定する（ＳＢ１２）。その結果、加算後のカウンタの値が案内中の宣伝表示の上限回数に到達した場合（ＳＢ１２、Ｙｅｓ）、機能制御部７１は完了フラグをＯＮとする（ＳＢ１３）。上述の図２及び図３の例では、ＳＢ２で特定したスポンサ「サークルＪ」についてＳＢ３で特定した制御内容において、案内中の宣伝表示に上限回数「５回」が設定されていることから、加算後のカウンタの値が５回に到達した場合に完了フラグをＯＮとし、ＲＡＭ（図示省略）に記憶させる。
【００６５】
図５のＳＢ８で案内中の宣伝表示に上限回数が設定されていないと判定した場合（ＳＢ８、Ｎｏ）、ＳＢ９で完了フラグがＯＮであるか又は宣伝表示を行うタイミングでないと判定した場合（ＳＢ９、Ｎｏ）、ＳＢ１２でカウンタの値が案内中の宣伝表示の上限回数に到達していないと判定した場合（ＳＢ１２、Ｎｏ）、又はＳＢ１３の処理の後、機能制御部７１は地図上にＳＢ２で特定したスポンサに関するＰＯＩが存在するか否かを判定する（ＳＢ１４）。その結果、スポンサに関するＰＯＩが存在する場合（ＳＢ１４、Ｙｅｓ）、機能制御部７１は当該スポンサに関するＰＯＩをＳＢ３で特定した制御内容に基づき地図上に表示するための制御を行う（ＳＢ１５）。上述の図２及び図３の例では、ＳＢ２で特定したスポンサ「サークルＪ」についてＳＢ３で特定した制御内容において、地図表示は「独占」と設定されていることから、機能制御部７１は例えば当該スポンサ「サークルＪ」のＰＯＩのみを地図上に表示するように制御を行う。また、地図表示が「差別化」と設定されている場合には、スポンサに関するＰＯＩを、地図上の他のＰＯＩから差別化した態様、例えばＰＯＩを示すアイコンの大きさを拡大等するように制御を行う。なお、制御内容が「独占」と設定されているスポンサのＰＯＩと「差別化」と設定されているスポンサのＰＯＩとが地図表示内に並存している場合には、「差別化」と設定されているスポンサのＰＯＩをトーンダウンするように制御を行うことで、「独占」と設定されているスポンサのＰＯＩを強調して表示させる。図８は、スポンサに関するＰＯＩの地図上での表示を例示した図である。図８の例では、スポンサ「Ｓ」に関するＰＯＩの表示を、他のＰＯＩ「Ｆ」や「Ｎ」と比較して拡大して表示することにより、当該スポンサ「Ｓ」に関するＰＯＩを他のＰＯＩから差別化するように制御を行っている。
【００６６】
図６に戻り、ＳＢ１４で地図上にＳＢ２で特定したスポンサに関するＰＯＩが存在しないと判定した場合（ＳＢ１４、Ｎｏ）、又はＳＢ１５の処理を行った後、機能制御部７１はナビゲーション装置１において検索部７４により周辺検索が実行されたか否かを判定する（ＳＢ１６）。その結果、検索部７４により周辺検索が実行されたと判定した場合（ＳＢ１６、Ｙｅｓ）、機能制御部７１は、検索部７４により検索されたスポンサに関するＰＯＩをＳＢ３で特定した制御内容に基づき検索結果のリストに表示するための制御を行う（ＳＢ１７）。上述の図２及び図３の例では、ＳＢ２で特定したスポンサ「サークルＪ」についてＳＢ３で特定した制御内容において、リスト表示は「独占」と設定されていることから、機能制御部７１は例えば当該スポンサ「サークルＪ」のＰＯＩのみを検索結果のリストに表示するように制御を行う。また、リスト表示が「差別化」と設定されている場合には、スポンサに関するＰＯＩを、地図上の他のＰＯＩから差別化した態様、例えば検索結果の上位の所定件数（例えば上位１０件）に表示させることで、他のＰＯＩよりも上位となるように制御を行う。なお、制御内容が「独占」と設定されているスポンサのＰＯＩと「差別化」と設定されているスポンサのＰＯＩとが検索結果に並存している場合には、「独占」と設定されているスポンサのＰＯＩを「差別化」と設定されているスポンサのＰＯＩよりも上位に表示するように制御を行う（例えば、「独占」と設定されているスポンサのＰＯＩを最上位１０件、「差別化」と設定されているスポンサのＰＯＩを次の１０件として表示する）。図９はスポンサに関するＰＯＩのリスト上での表示を例示した図であり、図９（ａ）はスポンサに関するＰＯＩを他のＰＯＩよりも上位となるように検索結果のリストに表示した図、図９（ｂ）はスポンサに関するＰＯＩのみを検索結果のリストに表示した図である。図９（ａ）の例では、スポンサ「Ｓイレブン」に関するＰＯＩが他のＰＯＩよりも上位となるように検索結果のリストに表示されている。また、図９（ｂ）の例では、スポンサ「Ｓイレブン」に関するＰＯＩのみが検索結果のリストに表示されている。
【００６７】
図５のＳＢ７でナビゲーション装置１が目的地までの経路を案内中ではないと判定した場合（ＳＢ７、Ｎｏ）、図６のＳＢ１６でナビゲーション装置１において検索部７４により周辺検索が実行されていないと判定した場合（ＳＢ１６、Ｎｏ）、又はＳＢ１７の処理の後、機能制御部７１は新たな目的地が設定されたか否かを判定する（ＳＢ１８）。その結果、新たな目的地が設定されたと判定した場合（ＳＢ１８、Ｙｅｓ）、機能制御部７１はＳＢ１に戻り、新たに設定された目的地に対応するＰＯＩがＰＯＩＤＢ８２に格納されているか否かを判定する（ＳＢ１）。
【００６８】
一方、新たな目的地が設定されていないと判定した場合（ＳＢ１８、Ｎｏ）、機能制御部７１はナビゲーション装置１を介して車両が目的地に到着したか否かを判定する（ＳＢ１９）。その結果、車両が目的地に到着していない場合（ＳＢ１９、Ｎｏ）、機能制御部７１はＳＢ４に戻り、ナビゲーション装置１が目的地までの経路を探索中か否かを判定する（ＳＢ４）。
【００６９】
一方、車両が目的地に到着した場合（ＳＢ１９、Ｙｅｓ）、機能制御部７１は、ＳＢ２で特定したスポンサ毎にＳＢ３で特定した制御内容において、到着時の宣伝表示が「有」か否かを判定する（ＳＢ２０）。上述の図２及び図３の例では、ＳＢ２で特定したスポンサ「サークルＪ」についてＳＢ３で特定した制御内容において、到着時の宣伝表示が「有」であると判定される。
【００７０】
図６.に戻り、ＳＢ２０の判定の結果、到着時の宣伝表示が「有」の場合（ＳＢ２０、Ｙｅｓ)、当該スポンサに関する情報を到着時の画面で宣伝表示するための制御を行い（ＳＢ２１）、機能制御処理を終了する。また、到着時の宣伝表示が「無」の場合（ＳＢ２０、Ｎｏ）、機能制御部７１は機能制御処理を終了する。このように、目的地への到着後のタイミングでスポンサに関する情報を宣伝表示することにより、実際にユーザが訪問するに至ったＰＯＩの情報源となった番組のスポンサをアピールすることができ、情報源としての価値の高い番組に貢献したスポンサを一層強くアピールすることが可能となる。
【００７１】
（効果）
このように実施の形態１によれば、番組内容特定部７３によって特定されたＰＯＩが目的地として設定されている場合において、当該番組内容特定部７３によって特定されたスポンサを認識可能となるようにナビゲーション装置１における所定の機能の制御を行うので、目的地として設定されるに至ったＰＯＩをユーザに紹介する情報源となった番組のスポンサをユーザに認識させることができる。その結果、スポンサは番組への出資により知名度の向上やそれに伴う収益の向上を期待することができると共に、放送局はより多くのスポンサの獲得を期待することができ、スポンサと放送局との双方にとって魅力的なビジネスモデルを提供することができる。
【００７２】
また、スポンサに関する施設を当該スポンサに関する施設以外の施設とは異なる態様で表示するための制御を行うので、スポンサが経営する販売店、飲食店、レジャー施設等の施設がある場合に、当該施設をユーザにアピールすることができ、当該スポンサにとって有利な制御を行うことができ、確実にスポンサを認識可能とすることができる。
【００７３】
また、スポンサに関する施設を地図上で独占的に表示するための制御を行うので、スポンサに関する施設を地図上で特に優遇して表示することができ、一層確実にスポンサを認識可能とすることができる。
【００７４】
また、スポンサに関する施設を地図上で他の施設から差別化した態様で表示するための制御を行うので、スポンサに関する施設を地図上で優遇して表示することができ、確実にスポンサを認識可能とすることができる。
【００７５】
また、検索部７４により検索された複数の施設をリスト表示する場合において、スポンサに関する施設を独占的にリストに表示するための制御を行うので、スポンサに関する施設をリスト上で特に優遇して表示することができ、一層確実にスポンサを認識可能とすることができる。
【００７６】
また、検索部７４により検索された複数の施設をリスト表示する場合において、スポンサに関する施設を他の施設から差別化した態様でリストに表示するための制御を行うので、スポンサに関する施設をリスト上で優遇して表示することができ、確実にスポンサを認識可能とすることができる。
【００７７】
また、スポンサに関する情報を宣伝表示するための制御を行うので、当該宣伝表示により確実にスポンサを認識可能とすることができる。
【００７８】
特に、番組内容特定部７３によって特定されたスポンサの優先度に応じた１又は２以上のタイミングで当該スポンサに関する情報を宣伝表示するための制御を行うので、スポンサの出資額等に基づいて設定された優先度に応じた宣伝表示を行うための制御を行うことができ、優先度が高く設定されたスポンサにとって一層有利なタイミングで宣伝表示を行い、一層確実にスポンサを認識可能とすることができる。
【００７９】
また、宣伝表示を行うタイミングは、目的地までの走行経路の探索中、当該走行経路の案内中、又は目的地への到着後の少なくとも１つに含まれるので、ユーザにスポンサを認識可能とするために適したタイミングで宣伝表示を行うことができる。例えば、経路探索中のタイミングでスポンサに関する情報を宣伝表示することにより、経路探索の待ち時間を有効に活用してスポンサをアピールすることが可能となる。また、スポンサの優先度に応じた回数の宣伝表示を案内中に行うことにより、例えばスポンサの出資額が多いほど当該スポンサの宣伝表示回数を増加させることができ、当該スポンサを強くアピールすることが可能となる。また、目的地への到着後のタイミングでスポンサに関する情報を宣伝表示することにより、実際にユーザが訪問するに至ったＰＯＩの情報源となった番組のスポンサをアピールすることができ、情報源としての価値の高い番組に貢献したスポンサを一層強くアピールすることが可能となる。
【００８０】
〔実施の形態２〕
次に、実施の形態２について説明する。この実施の形態２は、番組のスポンサのランクに応じて設定された制御内容でスポンサに関する情報を表示するための制御を行う形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００８１】
（構成−データ記録部）
まず、実施の形態２に係るナビゲーション装置１のデータ記録部８０について説明する。図１０は、実施の形態２に係るＰＯＩＤＢ８２に格納されている情報を例示した表である。図１０に示すように、実施の形態２に係るＰＯＩＤＢ８２には、図２に示した実施の形態１に係るＰＯＩＤＢ８２における各項目に加えて、新たな項目「ジャンル」及び「特別表示アイコン」に対応する情報も他の項目に対応する情報と相互に関連付けて格納されている。項目「ジャンル」に対応して格納される情報は、スポンサのジャンルを示す情報である。項目「特別表示アイコン」に対応して格納される情報は、対応するスポンサのＰＯＩを地図上に表示する際に使用されるアイコンであって、通常使用される標準のアイコンとは異なるアイコン（例えば標準のアイコンと比較して巨大なマークからなるアイコンや、季節に応じた図柄が加わったアイコン等）の有無を示す情報である。なお、この特別表示アイコンの画像データについては、例えばデータ記録部８０に記録することができる。
【００８２】
図１１は、実施の形態２に係る制御テーブル８３に格納されている情報を例示した表である。図１１に示すように、実施の形態２に係る制御テーブル８３には、項目「ランク」、「地図表示」、「リスト表示」、及び「宣伝表示」に対応する情報が相互に関連付けて格納されている。このうち、項目「ランク」に対応する情報はＰＯＩＤＢ８２における項目「ランク」に対応して格納される情報と同様であり、項目「地図表示」、「リスト表示」、及び「宣伝表示」に対応する情報については図３に例示した実施の形態１に係る制御テーブル８３と同様であるので、説明を省略する。これらの各情報が制御テーブル８３に格納されるタイミングは任意で、例えば予め通信部４０や操作部１０を介して入力され、制御テーブル８３に格納される。この制御テーブル８３を参照することにより、スポンサ毎に設定されているランクに対応する制御内容を一義的に特定することができる。
【００８３】
（処理−ＰＯＩ情報処理）
次に、実施の形態２に係るナビゲーション装置１によって実行されるＰＯＩ情報処理について説明する。図１２はＰＯＩ情報処理のフローチャートである。なお、ＳＣ１からＳＣ３は図４のＳＡ１からＳＡ３と同じであり、ＳＣ５は図４のＳＡ５と同じであるので、説明を省略する。
【００８４】
ＳＣ３で「番組名称」及び「放送局名称」を取得した後（ＳＣ３）、番組内容特定部７３は、ＳＣ２で特定したＰＯＩの名称毎に、「スポンサ」、「ジャンル」及び「ランク」を取得する（ＳＣ４）。これらの各情報は、ＰＯＩの名称が取得された番組の番組付随情報であって、ＳＣ１で番組情報取得部７２によって取得された番組付随情報から取得することができる。
【００８５】
（処理−機能制御処理）
次に、実施の形態２に係るナビゲーション装置１によって実行される機能制御処理について説明する。なお、実施の形態２に係る機能制御処理の各ステップは、図５のＳＢ２、ＳＢ３、ＳＢ１５、及びＳＢ１７の処理の内容を除いて実施の形態１に係る機能制御処理と同様であるので、フローチャートの図示及び説明を省略する。
【００８６】
図５のＳＢ１において、目的地に対応するＰＯＩがＰＯＩＤＢ８２に格納されている場合（ＳＢ１、Ｙｅｓ）、機能制御部７１は目的地のＰＯＩに関連付けられているスポンサ、ジャンル、ランク、及び特別表示アイコンをＰＯＩＤＢ８２を参照して特定する（ＳＢ２）。例えば、「和食○○」が目的地として設定されている場合、図１０のＰＯＩＤＢ８２において当該「和食○○」に関連付けられているスポンサとして「サークルＪ」、「ホンデ」、及び「吉田家」を特定する。さらに、スポンサ「サークルＪ」についてはジャンルとして「コンビニ」、ランクとして「Ａ」を特定すると共に、当該「サークルＪ」の特別表示アイコンが有ることを特定する。スポンサ「ホンデ」についてはジャンルとして「ディーラ」、ランクとして「Ｂ」を特定すると共に、特別表示アイコンは設定されていないことを特定する。スポンサ「吉田家」についてはジャンルとして「ファーストフード」、ランクとして「Ｃ」を特定すると共に、当該「吉田家」の特別表示アイコンは無いことを特定する。
【００８７】
図５に戻り、ＳＢ２で特定したスポンサ及びランクに基づき、ＳＢ２で特定したスポンサを認識可能となるように機能制御を行う際の制御内容として、スポンサに関する情報の表示機能、検索機能、及び宣伝表示機能の制御内容をスポンサ毎に特定する（ＳＢ３）。例えばＳＢ２で、図２のＰＯＩＤＢ８２において目的地の「和食○○」に関連付けられているスポンサ「サークルＪ」及びランク「Ａ」を特定した場合、図１１の制御テーブル８３によれば、当該スポンサ「サークルＪ」のランク「Ａ」に対応する制御内容は、地図表示が「独占」、リスト表示が「独占」、経路探索中及び到着時の宣伝表示が「有」で、案内中の宣伝表示の上限回数は「５回」であることが特定される。
【００８８】
図５に戻り、ＳＢ１４で地図上にＳＢ２で特定したスポンサに関するＰＯＩが存在すると判定した場合（ＳＢ１４、Ｙｅｓ）、機能制御部７１は当該スポンサに関するＰＯＩをＳＢ３で特定した制御内容に基づき地図上に表示するための制御を行う（ＳＢ１５）。上述の図１０及び図１１の例では、ＳＢ２で特定したスポンサ「サークルＪ」についてＳＢ３で特定した制御内容において、地図表示は「独占」と設定されていることから、機能制御部７１は例えば当該スポンサ「サークルＪ」のＰＯＩのみを地図上に表示するように制御を行う。また、地図表示が「差別化」と設定されている場合には、スポンサに関するＰＯＩを、地図上の他のＰＯＩから差別化した態様、例えばＰＯＩを示すアイコンの大きさを拡大等するように制御を行う。さらに、当該スポンサ「サークルＪ」については特別表示アイコンが有ることから、該当する特別表示アイコン（例えば巨大なＪマークや、季節に応じた図柄が加わったアイコン）をデータ記録部８０から読出し、スポンサ「サークルＪ」のＰＯＩとして地図上に表示するように制御を行う。なお、制御内容が「独占」と設定されているスポンサのＰＯＩと、当該スポンサと同一ジャンルのスポンサのＰＯＩであって「差別化」と設定されているスポンサのＰＯＩとが、地図表示内に並存している場合には、「差別化」と設定されているスポンサのＰＯＩをトーンダウンしたり、アイコンの大きさを縮小するように制御を行うことで、「独占」と設定されているスポンサのＰＯＩを強調して表示させる。
【００８９】
図５に戻り、ＳＢ１６でナビゲーション装置１において検索部７４により周辺検索が実行されたと判定した場合（ＳＢ１６、Ｙｅｓ）、機能制御部７１は、スポンサに関するＰＯＩをＳＢ３で特定した制御内容に基づき検索結果のリストに表示するための制御を行う（ＳＢ１７）。上述の図１０及び図１１の例では、ＳＢ２で特定したスポンサ「サークルＪ」についてＳＢ３で特定した制御内容において、リスト表示は「独占」と設定されていることから、機能制御部７１は例えば当該スポンサ「サークルＪ」のＰＯＩのみを検索結果のリストに表示するように制御を行う。また、リスト表示が「差別化」と設定されている場合には、スポンサに関するＰＯＩを、地図上の他のＰＯＩから差別化した態様、例えば検索結果の順位を他のＰＯＩよりも上位となるように制御を行う。なお、制御内容が「独占」と設定されているスポンサのＰＯＩと、当該スポンサと同一ジャンルのスポンサのＰＯＩであって「「差別化」と設定されているスポンサのＰＯＩとが、検索結果に並存している場合には、「独占」と設定されているスポンサのＰＯＩを「差別化」と設定されているスポンサのＰＯＩよりも上位に表示するように制御を行う。
【００９０】
（効果）
このように実施の形態２によれば、番組内容特定部７３によって特定されたスポンサの優先度に応じて、当該スポンサを認識可能となるように制御を行うので、番組に対するスポンサの出資額等に基づいて設定された優先度に応じた制御を行うことができ、優先度が高く設定されたスポンサにとって一層有利な制御を行うことができ、確実にスポンサを認識可能とすることができる。
【００９１】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００９２】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００９３】
（ナビゲーション装置について）
上述の各実施の形態では、ナビゲーション装置１が車両に搭載されている場合を例として説明したが、ナビゲーション機能を有する携帯情報端末にナビゲーション装置１を搭載してもよい。
【００９４】
（機能制御処理について）
上述の各実施の形態では、機能制御処理において、スポンサに関するＰＯＩの地図上への表示機能、スポンサに関するＰＯＩの検索機能、あるいはスポンサについての宣伝表示機能の制御を行う場合を説明したが、機能制御部７１によって他の機能の制御を行うようにしてもよい。例えば、目的地までの走行経路の探索を行う探索機能を制御することにより、番組内容特定部７３によって特定された場所が目的地として設定されている場合において、当該番組内容特定部７３によって特定されたスポンサに関する施設を経由する走行経路を探索し、当該探索した走行経路を案内するようにしてもよい。
【符号の説明】
【００９５】
１  ナビゲーション装置
１０  操作部
２０  現在位置検出処理部
３０  番組受信部
４０  通信部
５０  スピーカ
６０  ディスプレイ
７０  制御部
７１  機能制御部
７２  番組情報取得部
７３  番組内容特定部
７４  検索部
８０  データ記録部
８１  地図情報ＤＢ
８２  ＰＯＩＤＢ
８３  制御テーブル
【図１】
2011059038.tif 000003
【図２】
2011059038.tif 000004
【図３】
2011059038.tif 000005
【図４】
2011059038.tif 000006
【図５】
2011059038.tif 000007
【図６】
2011059038.tif 000008
【図７】
2011059038.tif 000009
【図８】
2011059038.tif 000010
【図９】
2011059038.tif 000011
【図１０】
2011059038.tif 000012
【図１１】
2011059038.tif 000013
【図１２】
2011059038.tif 000014